(57)【特許請求の範囲】
【請求項１】
吸収性物品用のバックシートであって、
不織布と、
前記不織布に積層された通気性ポリオレフィン系フィルムと、
前記不織布と前記通気性ポリオレフィン系フィルムとの間にあってこれらを間欠的に接着させるホットメルト系接着剤を備え、
前記ホットメルト系接着剤は、平面視において、所定の形状を有する複数の構成単位と前記複数の構成単位の間で連通する流路から構成された塗布パターンを有し、
前記構成単位は、３０ｍｍ２以下の面積を有し、
前記塗布パターンは、前記不織布と前記通気性ポリオレフィン系フィルムとが積層された全面積に対し、３０％以上８０％以下の塗布面積を有し、
前記流路は、前記吸収性物品の長手方向端部及び／または短手方向端部において解放され、かつ、０．２ｍｍ２以上５．０ｍｍ２以下の断面積を有することを特徴とする吸収性物品用のバックシート。
【請求項２】
前記不織布がスパンボンド不織布、サーマルボンド不織布及びスパンボンド不織布／メルトブローン不織布／スパンボンド不織布が積層された複合不織布のいずれかであることを特徴とする請求項１に記載の吸収性物品用のバックシート。
【請求項３】
前記通気性ポリオレフィン系フィルムがポリエチレン系フィルムであることを特徴とする請求項１または２に記載の吸収性物品用のバックシート。
【請求項４】
前記構成単位が矩形、菱形、平行四辺形、多角形、円形、楕円形のいずれかの形状であることを特徴とする請求項１から３のいずれか１項に記載の吸収性物品用のバックシート。
【請求項５】
吸収性物品であって、
液透過性のトップシートと、
液不透過性のバックシートと、
前記トップシートと前記バックシートとの間に配置された吸収体と、を備え、
前記バックシートは、請求項１〜４のいずれか１項に記載の吸収性物品用のバックシートであることを特徴とする吸収性物品。
【発明の詳細な説明】
【技術分野】
【０００１】
本発明は、バックシート及びバックシートを用いた吸収性物品に関する。
【背景技術】
【０００２】
テープ止めタイプおむつ、尿取りパッド、軽失禁パッド、生理用品等の吸収性物品は、一般的に、液透過性のトップシートと、液不透過性のバックシートと、これらの間に配置された吸収体と、から構成されている。この液不透過性のバックシートは、吸収体に吸収された体液を外部に漏らさないこと、かつ、吸収性物品の着用中に、排尿等で生じる蒸気や湿気を吸収性物品の外側へ散逸させるために、ある程度の透湿性を有することが求められている。さらに、バックシートは、衣類やアウターの接触側に配置されていることから、風合いに優れることも求められている。この風合いを向上させるために、不織布と合成樹脂フィルムとを貼合わせ、不織布を最外側にした、いわゆるクロスライクバックシートが用いられている。クロスライクバックシートは、クロスライクな肌触りと、衣類やアウターと接触させた際に、合成樹脂フィルム単独のものに比べて摩擦抵抗があり、吸収性物品がずれにくいという特徴を有している。
【０００３】
また、クロスライクバックシートを構成する不織布と合成樹脂フィルムとを貼合わせる方法としては、通常、ホットメルト系接着剤が使用され、またその塗布方法としては、ノズルから溶融状態の接着剤を糸状に非接触で塗布するカーテンコート方式やスパイラル方式、接触式で面状に塗布するスロット方式、霧状に塗布するスプレー方式が一般的である。しかし、いずれの塗布方法を採用しても、ホットメルト系接着剤を用いて不織布と合成樹脂フィルムとを貼合わせたバックシートは、柔軟性が低下し、風合いが硬くなってしまうという欠点があり、風合いを改善しつつ、透湿性を阻害しないものが求められていた。
【０００４】
例えば、特許文献１には、微多孔質樹脂膜と不織布とを積層したシート材により形成されており、その接着パターンは、連続した線状接着部を形成してなる連続の線状パターンと、多数の点状接着部を非連続で形成してなる非連続の点状パターンである裏面材（バックシート）が開示されている。
【０００５】
また、特許文献２には、少なくとも、開孔周縁に筒足部を有する多孔透湿性ポリオレフィン系フィルムと、ポリオレフィン系メルトブローン不織布とを、多孔透湿性ポリオレフィン系フィルムの筒足部が内側にくるように重ね合わせて積層一体化された吸収性物品用バックシート材が開示されている。
【０００６】
しかし、吸収体の吸収性能が進歩した吸収性物品において、従来提案されているクロスライクバックシートでは、吸収体の吸収量向上に伴う透湿量の増加に対応できず、排尿等による蒸気や湿気がクロスライクバックシートを通して衣服まで到達してしまい、着用者は、衣服が濡れたように感じることがあった。
【先行技術文献】
【特許文献】
【０００７】
【特許文献１】特開平０９−１７３３８２号公報
【特許文献２】特開平１１−３４８１６３号公報
【発明の概要】
【発明が解決しようとする課題】
【０００８】
本発明は、上述の問題に鑑み、不織布と合成樹脂フィルムとを貼合わせる構成において、一定の風合いを確保しつつ、湿気が直接衣類側に移行することを抑制できる、吸収性物品用のバックシート及びそれを用いた吸収性物品を提供することを目的とする。
【課題を解決するための手段】
【０００９】
（１）本願発明に係る１つの態様は、吸収性物品用のバックシートであって、不織布と、不織布に積層された通気性ポリオレフィン系フィルムと、不織布と通気性ポリオレフィン系フィルムとの間にあってこれらを間欠的に接着させるホットメルト系接着剤を備え、ホットメルト系接着剤は、平面視において、所定の形状を有する複数の構成単位と複数の構成単位の間で連通する流路から構成された塗布パターンを有し、構成単位は、３０ｍｍ２以下の面積を有し、塗布パターンは、不織布と通気性ポリオレフィン系フィルムとが積層された全面積に対し、３０％以上８０％以下の塗布面積を有し、流路は、吸収性物品の長手方向端部及び／または短手方向端部において解放され、かつ、０．２ｍｍ２以上５．０ｍｍ２以下の断面積を有する吸収性物品用のバックシートを特徴とする。
（２）不織布は、上記（１）に記載の吸収性物品用のバックシートにおいて、スパンボンド不織布、サーマルボンド不織布及びスパンボンド不織布／メルトブローン不織布／スパンボンド不織布が積層された複合不織布のいずれかであってもよい。
（３）通気性ポリオレフィン系フィルムは、上記（１）または（２）に記載の吸収性物品用のバックシートにおいて、ポリエチレン系フィルムであってもよい。
（４）構成単位は、上記（１）〜（３）のいずれかに記載の吸収性物品用のバックシートにおいて、矩形、菱形、平行四辺形、多角形、円形、楕円形のいずれかの形状であってもよい。
（５）吸収性物品であって、液透過性のトップシートと、液不透過性のバックシートと、トップシートとバックシートとの間に配置された吸収体と、を備え、バックシートは、上記（１）〜（４）のいずれかに記載の吸収性物品用のバックシートである吸収性物品を提供する。
【発明の効果】
【００１０】
本発明によれば、不織布と合成樹脂フィルムとを貼合わせる構成において、一定の風合いを確保しつつ、湿気が直接衣類側に移行することを抑制できる、吸収性物品用のバックシート及びそれを用いた吸収性物品を提供することができる。
【図面の簡単な説明】
【００１１】
【図１】図１（ａ）は、本実施形態に係る吸収性物品用のバックシートを示す概略図である。図１（ｂ）は、図１（ａ）のＡ−Ａ’線における吸収性物品用のバックシートの略示断面図である。
【図２】本実施形態に係る吸収性物品のバックシート側から見た展開図である。
【図３】本実施形態に係る吸収性物品のトップシート側から見た展開図である。
【図４】構成単位及び流路の他例を示す平面図である。
【発明を実施するための形態】
【００１２】
図１から図４を参照して、本発明を実施するための形態（以下、「実施形態」という）を詳細に説明する。なお、実施形態の説明は、全体を通して同じ要素には同じ番号を付している。本明細書の説明において、吸収性物品の着用時とは、吸収性物品の着用時及び着用後の少なくとも一方をいう。また、吸収性物品の長手方向とは、吸収性物品が着用されたときに着用者の前後にわたる方向であり、図中、符号Ｙで示す方向であり、吸収性物品の短手方向とは、長手方向に対して横又は直交する方向であり、図中、符号Ｘで示す方向である。さらに、肌当接面とは、吸収体等の各部材の表裏両面のうち、着用時に着用者の肌側に配される面であり、非肌当接面とは、バックシート等の各部材の表裏両面のうち、着用時に着用者の肌側とは反対側に向けられる面である。また、体液とは、尿、血液や軟便中の水分等の体内から体外に排出された液体をいう。さらに、吸収性物品としては、幼児又は成人用を問わず、テープ止めタイプの使い捨ておむつ、パンツタイプの使い捨ておむつ、尿取りパッド、軽失禁パッド、生理用品等であってもよい。
【００１３】
図１（ａ）は、本実施形態に係る吸収性物品用のバックシート２０を示す概略図である。図１（ｂ）は、図１（ａ）のＡ−Ａ’線における吸収性物品用のバックシート２０の略示断面図である。図１（ｂ）に示すように、吸収性物品用のバックシート２０は、不織布２２と、不織布２２に積層された通気性ポリオレフィン系フィルム２１と、不織布２２と通気性ポリオレフィン系フィルム２１との間にあってこれらを間欠的に接着させるホットメルト系接着剤２３を備えている。
【００１４】
（ホットメルト系接着剤）
ホットメルト系接着剤２３は、平面視において、所定の形状を有する複数の構成単位２４と、複数の構成単位２４の間で連通する流路２５から構成された塗布パターン２６を有している。流路２５は、吸収性物品１の長手方向端部２０ａ及び短手方向端部２０ｂにおいて解放されている。構成単位２４の面積は、３０ｍｍ２以下である。３０ｍｍ２を超えると、単位面積当たりの流路２５の割合が少なくなって透湿性が阻害されることにより、透湿性が低下する。構成単位２４は面積及び形状は、強度及び流路２５を利用した透湿性の低下防止の観点から、略同一であることが好ましい。
【００１５】
流路２５は、吸収性物品１の長手方向端部２０ａ及び短手方向端部２０ｂにおいて解放されている。通気性ポリオレフィン系フィルム２１側（肌当接面側）から発生した湿気は、矢印に示すように、流路２５を通り、吸収性物品１の長手方向端部２０ａ及び短手方向端部２０ｂの流路２５から散逸させることができる。結果、湿気の衣類側（非肌当接面側）への移行が減少し、衣類を濡らす現象が抑制される。吸収性物品１の長手方向端部２０ａあるいは短手方向端部２０ｂにおいて、解放されている流路２５は、少なくとも一部にあればよい。流路２５は、長手方向端部２０ａ及び短手方向端部２０ｂに設けられていることが好ましい。
【００１６】
図４は、構成単位２４及び流路２５の他例を示す平面図である。構成単位２４は、流路２５側にホットメルト系接着剤２３が滲み出るのを抑制し、透湿性の低下を防止する観点から、図１（ａ）に示した矩形の他に、図４（ａ）に示す菱形、図４（ｂ）に示す円形、平行四辺形、多角形、楕円形のいずれかの形状であることが好ましい。構成単位２４を菱形や円形に成形する場合でも、使用者から発生した湿気は、矢印に示すように流路２５を流れ、吸収性物品１の長手方向端部２０ａ及び短手方向端部２０ｂに形成されている、解放された流路２５から排出させることができる。
【００１７】
ホットメルト系接着剤２３の塗布量は、接着力と塗布による硬化防止のバランスから、８ｇ／ｍ２以上５０ｇ／ｍ２以下が好ましい。この塗布量は、例えば、以下の方法により測定する。まず、不織布２２を１０ｃｍ×１０ｃｍの正方形にカットしたもの１０枚採取し、ホットメルト系接着剤２３が塗布される前の重量を測定する。ホットメルト系接着剤２３を塗布後、同様に、１０ｃｍ×１０ｃｍの正方形にカットしたもの１０枚採取し、ホットメルト系接着剤２３が塗布された後の重量を測定する。これらの塗布前後での重量差を求める。以上を５回繰り返し測定し、その平均値をホットメルト系接着剤２３の塗布量（ｇ／ｍ２）とする。
【００１８】
塗布パターン２６は、不織布２２と通気性ポリオレフィン系フィルム２１とが積層された全面積に対し、３０％以上８０％以下の塗布面積を有する。塗布面積が３０％未満であると、不織布２２と通気性ポリオレフィン系フィルム２１との接着強度が低下して剥がれやすくなり、一方、８０％を超えると、バックシート２０全体の通気性が不十分となる。塗布パターン２６の塗布面積の測定方法としては、例えば、不織布２２に対応する印刷版全体の面積と凸部頂面積を求めることで算出を行うことができる。
【００１９】
図１（ｂ）に示すように、不織布２２と通気性ポリオレフィン系フィルムの間で、ホットメルト系接着剤２３が塗布されていない領域は、流路２５であり、バックシート２０を幅方向に切断すると、空洞となっている。空洞部分の面積、すなわち、流路の断面積２５Ａは、０．２ｍｍ２以上５ｍｍ２以下である。０．２ｍｍ２より小さいとバックシート２０は十分な透湿性を確保しにくくなり、一方、５ｍｍ２を超えるとバックシート２０の強度が低下する。流路の断面積２５Ａは、例えば、以下の方法により測定する。まず、バックシート２０を変形させないよう、剃刀等を用いて幅方向に切断し、その断面を写真撮影する。得られた画像を画像解析ソフトであるＷｉｎ  ＲＯＯＦ（三谷商事株式会社製）を用いて画像処理を行い、流路の断面積２５Ａを求める。そして、５点の平均値を流路の断面積２５Ａとする。また、バックシート２０の断面をマイクロスコープにて拡大して観察・撮影し、流路の断面積２５Ａを測定してもよい。
【００２０】
ホットメルト系接着剤２３としては、特に限定はなく、例えば、融点が１００℃以上１８０℃以下の、スチレン／ブタジエン／スチレン系共重合体、スチレン／イソプレン／スチレン系共重合体等の合成ゴム系、あるいは、エチレン−酢酸ビニル共重合体等のオレフィン系のホットメルト系接着剤があげられる。これらを、１種のみを使用しても、複数をブレンドして使用してもよい。
【００２１】
ホットメルト系接着剤２３の塗布方法としては、構成単位２４と流路２５を形成する塗布方法であれば特に限定はなく、公知の方法を用いることができる。例えば、ロールコータを塗布装置として用いる場合、転写ロールの表面に所定の塗布パターン２６の凸版部を形成し、不織布２２に対してホットメルト系接着剤２３を転写して塗布することとなる。転写ロールを交換することで、塗布パターン２６を変更することができる。
【００２２】
（不織布）
バックシート２０に用いる不織布２２としては、素材、製造方法等は特に限定されず、例えば、ポリプロピレン、ポリエチレン、ポリエステル等の合成繊維による、スパンボンド不織布、サーマルボンド不織布及びスパンボンド不織布／メルトブローン不織布／スパンボンド不織布が積層された複合不織布が使用できる。不織布２２の坪量は、風合いや強度の観点から、１０ｇ／ｍ２以上３０ｇ／ｍ２以下が好ましい。また、不織布２２の厚さは、感触や通気性の観点から、３０μｍ以上１０００μｍ以下が好ましい。なお、厚さの測定はシックネスゲージ（尾崎製作所製のダイヤルシックネスゲージ「ＰＥＡＣＯＯＫ」）を用いて測定した。測定条件は、３５ｇｆ／ｃｍ２（測定荷重２５０ｇｆ、測定子直径３０ｍｍ）で、測定子と測定台の間に不織布１０枚を重ねて置き、測定子を１秒間に１ｍｍ以下の速度で下したときのゲージを読み取り、これを１０で割り込み、１枚当りの厚みを算出する。
【００２３】
（通気性ポリオレフィン系フィルム）
不織布２２に積層される通気性ポリオレフィン系フィルム２１は、防水性及び透湿性を有するものであれば特に限定はなく、例えば、ポリオレフィン系樹脂と、炭酸カルシウム等の無機充填剤を溶融混練してフィルムを形成し、このフィルムを一軸または二軸延伸して得られる多孔性フィルムや、ポリオレフィン系フィルムにエンボス加工を施したものがあげられる。ポリオレフィン系樹脂としては、ポリエチレン、ポリプロピレン、ポリブテン及びこれらを単独でまたは混合して用いることができる。通気性ポリオレフィン系フィルム２１としては、耐水性と通気性の観点から、通気性のポリエチレン系フィルムが好ましい。また、通気性ポリオレフィン系フィルム２１の厚みは、１５μｍ以上４０μｍ以下が好ましく、２０μｍ以上３０μｍ以下がさらに好ましい。また、通気性ポリオレフィン系フィルム２１の坪量は、１０ｇ／ｍ２以上３０ｇ／ｍ２以下が好ましい。
【００２４】
不織布２２と通気性ポリオレフィン系フィルム２１をホットメルト系接着剤２３で接着させ、吸収性物品用のバックシート２０を作製する方法としては、例えば、所定の形状を有する構成単位２４及び流路２５の塗布パターン２６になるよう凸版部を形成した転写ロールにより、ホットメルト系接着剤２３を不織布２２に転写して塗布し、その上に通気性ポリオレフィン系フィルム２１をセットし、両者を積層したものを所定時間加熱・加圧して一体化させて作製することができる。なお、このとき不織布２２は、２％以上１０％以下で幅方向または長さ方向に伸ばした状態で、通気性ポリオレフィン系フィルム２１と貼り合せを実施し、吸収体３０と貼り合わさる際に、そのテンションが戻ることによって、通気性ポリオレフィン系フィルム２１と不織布２２の間に空気の通り道が作られる。
【００２５】
（吸収性物品）
本実施形態の吸収性物品用のバックシート２０は、例えば、図２及び図３に示す吸収性物品１の一種であるテープタイプの使い捨ておむつに対して、好ましく用いられる。
【００２６】
図２は、本実施形態に係る吸収性物品１をバックシート２０側から見た展開図であり、図３は、本実施形態に係る吸収性物品１をトップシート１０側から見た展開図である。図２及び図３に示すように、吸収性物品１は、肌当接面側に配された液透過性のトップシート１０と、トップシート１０に対向して配置された液不透過性のバックシート２０と、トップシート１０とバックシート２０との間に配置された吸収体３０と、を備える。これにより、吸収体３０は、トップシート１０とバックシート２０との間に挟まれた構造となっている。吸収性物品は、上記構成を備え、バックシート２０として、本実施形態の吸収性物品用のバックシート２０を用いること以外は、従来公知の吸収性物品１に採用されている種々の構成要素をさらに備えたものであってもよい。
【００２７】
吸収性物品１の一種であるテープタイプの使い捨ておむつは、着用時に着用者の背側に配置される背側部２Ａ、腹側に配置される腹側部２Ｃ、背側部２Ａと腹側部２Ｃとの間に配置される股下部２Ｂを有している。バックシート２０の背側部２Ａの左右両側縁領域には、ファスニングテープ４０が備えられ、腹側部２Ｃには、ファスニングテープ４０を係止する止着領域２７が形成されている。テープタイプの使い捨ておむつは、ファスニングテープ４０を止着領域２７に止着して着用する。
【００２８】
吸収性物品１は、使用者のフィット性を向上させるために、レッグギャザー用弾性部材を有するレッグギャザー７０やウエストギャザー８０を備えることができる。また、使用者の排泄した体液の横漏れを防止するため、吸収性物品１の長手方向に沿って、背側部２Ａから股下部２Ｂを経由し腹側部２Ｃにかけて、立体ギャザー用弾性部材５０ｂを有する一対の立体ギャザー５０を備えていてもよい。
【００２９】
吸収性物品１の製造方法としては、特に限定はなく、従来公知の方法を採用することができる。
【実施例】
【００３０】
以下、実施例及び比較例をあげて、本発明を具体的に説明するが、本発明は、これら実施例により限定されるものではない。
【００３１】
（ホットメルト系接着剤の塗布面積）
塗布パターン２６の塗布面積の測定方法としては、不織布２２に対応する印刷版全体の面積と凸部頂面積を求めることで算出を行った。
【００３２】
（ホットメルト系接着剤の塗布量）
ホットメルト系接着剤２３の塗布量は、以下の方法により測定した。まず、不織布２２を１０ｃｍ×１０ｃｍの正方形にカットしたもの１０枚採取し、ホットメルト系接着剤２３が塗布される前の重量を測定した。ホットメルト系接着剤２３を塗布後、同様に、１０ｃｍ×１０ｃｍの正方形にカットしたもの１０枚採取し、ホットメルト系接着剤２３が塗布された後の重量を測定した。次に、塗布前後での重量差を求めた。以上を５回繰り返し測定し、その平均値をホットメルト系接着剤２３の塗布量（ｇ／ｍ２）とした。
【００３３】
（流路の断面積）
流路の断面積２５Ａは、流路をＸ、Ｙ方向とみたとき、その流路に対し垂直または直角となるように測定した。測定方法としては、不織布２２を２％以上１０％以下で幅方向に伸ばした状態で、通気性ポリオレフィン系フィルム２１との貼り合せを実施した。このとき、バックシート２０は、貼り合せ前と比較した場合、全体の０．５％以上１０％以下に縮小された状態であり、通気性ポリオレフィン系フィルム２１と不織布２２の間に僅かな隙間が生じるため、このときの断面積を、マイクロスコープで撮影し、断面積５点の平均値を算出する方法で測定した。
【００３４】
＜実施例１＞
（バックシートの作製）
スパンボンド不織布／メルトブローン不織布／スパンボンド不織布の複合不織布（坪量：１５ｇ／ｍ２）に、図１（ａ）に示す、構成単位が矩形の塗布パターンになるよう凸版部を形成した転写ロールにより、塗布量が３０ｇ／ｍ２となるよう、スチレン／ブタジエン／スチレン系共重合体のホットメルト系接着剤を転写して塗布し、その上に通気性ポリエチレン系フィルム（坪量：１５ｇ／ｍ２）をセットした。不織布と通気性ポリエチレン系フィルムとを一体化させ、バックシートを作製した。なお、ホットメルト系接着剤の塗布面積の割合は、５６％、流路の断面積は、１．９８ｍｍ２、構成要素の面積は、２０ｍｍ２であった。
【００３５】
（吸収性物品の作製）
得られたバックシートを用いて、長さ４８ｃｍ、幅１９ｃｍの尿とりパッドを作製した。なお、トップシートとしては、エアースルー不織布（坪量２０ｇ／ｍ２）を用い、吸収体としては、フラッフパルプ１５ｇとＳＡＰ５ｇとの積層体を用意し、長さ４２ｃｍ、幅１４ｃｍにカットしたものを用いた。
【００３６】
＜実施例２〜４、比較例１〜３＞
不織布と通気性ポリエチレン系フィルムとが積層された全面積に対する塗布パターンの塗布面積の割合、塗布量、構成単位の面積、流路の断面積を、表１に示すように変更した以外は、実施例１と同様にして、尿取りパッドを作製した。
【００３７】
＜透湿性テスト＞
実施例及び比較例で得られた長さ４８ｃｍ、幅１９ｃｍの尿とりパッドを、黒色の実験台に載置し、周りのみ（４辺）を高さ５ｃｍ、厚さ３ｍｍのアクリル製の板で囲い、透湿性テストを行った。まず、トップシート上に、３６±２℃に加温した０．９％生理食塩水を１５０ｍｌ投入し、１０分放置した。次に、尿とりパッドをその状態で保ち、横から４方向のアクリル製の板を観察した。次に、尿取りパッドを静かに取り除き、尿取りパッドを載置した黒色実験台上の透湿による曇り度合いを観察した。結果、黒色実験台では曇りが若干認められるものを「○」、曇りがかなり認められるものを「△」、水滴が認められるものを「×」とした。アクリル製の板では曇りが分散し、かなり認められるものを「○」、曇りが分散し、若干認められるものを「△」、曇りが集中し、かなり認められるものを「×」とした。
【００３８】
【表１】
0006565033.tif 000002
【００３９】
表１に示すように、実施例１〜４は、塗布パターン、塗布面積、塗布量、構成単位の面積がそれぞれ規定値内であったため、透湿性テストに良好な結果を示した。また、塗布面積が２５％である比較例１は、構成単位間の距離が開いているため、湿気が通気しやすくなった。塗布面積が１０％、構成単位の面積が４０ｍｍ２である比較例２は、構成単位間の距離、断面積が大きくなったため、湿気がかなり認められた。塗布面積が２０％、構成単位の面積が８０ｍｍ２である比較例３は、湿気の拡散性が悪く、水滴が認められた。
【００４０】
以上、実施形態を用いて本発明を説明したが、本発明の技術的範囲は上記の実施形態に記載の範囲には限定されないことは言うまでもない。上記実施形態に、多様な変更又は改良を加えることが可能であることが当業者に明らかである。また、そのような変更又は改良を加えた形態も本発明の技術的範囲に含まれ得ることが、特許請求の範囲の記載から明らかである。
【符号の説明】
【００４１】
１  吸収性物品
１０  トップシート
２０  バックシート
２０ａ  長手方向端部
２０ｂ  短手方向端部
２１  通気性ポリオレフィン系フィルム
２２  不織布
２３  ホットメルト系接着剤
２４  構成単位
２５  流路
２５Ａ  断面積
２６  塗布パターン
２７  止着領域
３０  吸収体
４０  ファスニングテープ
５０  立体ギャザー
５０ｂ立体ギャザー用弾性部材
７０  レッグギャザー
８０  ウエストギャザー
【図１】
0006565033.tif 000003
【図２】
0006565033.tif 000004
【図３】
0006565033.tif 000005
【図４】
0006565033.tif 000006